(57)【要約】      （修正有）【課題】簡便な操作で記録媒体間のコンテンツの移動を行なうことができる記録媒体編集装置を実現する。【解決手段】レコーダ装置は、記録媒体に記録されているタイトルリストを、その記録媒体に付与された識別情報と対応付けて記憶するタイトル記憶用メモリ１４と、タイトル記憶用メモリ１４に記憶されているタイトルリスト間でタイトルを相互に入れ替えるタイトルリスト編集部２１ｂと、タイトルリスト編集部２１ｂにより編集された編集済タイトルリストに従って記録媒体間でコンテンツを相互に入れ替えるコンテンツ移動部２１ｃとを備えている。これにより、簡便な操作によって、記録媒体の間でコンテンツを相互に入れ替えることができる。【選択図】図１
2010238340.tif 000002
【特許請求の範囲】
【請求項１】
着脱可能な複数の記録媒体の間でコンテンツを相互に入れ替える記録媒体編集装置であって、
上記複数の記録媒体の各々について、当該記録媒体に記録されているコンテンツのタイトルを含むタイトルリストを、当該記録媒体に付与された識別情報と対応付けて記憶するタイトル記憶用メモリと、
上記タイトル記憶用メモリに記憶されているタイトルリストをユーザーに提示すると共に、提示したタイトルリストに対するユーザーの操作を受け付け、該操作に従って上記タイトル記憶用メモリに記憶されているタイトルリストの間でタイトルを相互に入れ替えるタイトルリスト編集手段と、を備えていることを特徴とする記録媒体編集装置。
【請求項２】
コンテンツ記録用メモリと、
上記タイトル記憶用メモリに記憶されている各タイトルリストについて、ドライブ装置に装填された記録媒体に付与された識別情報が当該タイトルリストに対応付けられた識別情報に一致するとき、
上記タイトルリスト編集手段によって当該タイトルリストから他のタイトルリストに移動されたタイトルのコンテンツを、上記ドライブ装置を用いて上記装填された記録媒体から読み出して上記コンテンツ記録用メモリに記録し、上記タイトルリスト編集手段によって当該タイトルリストに他のタイトルリストから移動されたタイトルのコンテンツを、上記コンテンツ記録用メモリから読み出して上記ドライブ装置を用いて上記装填された記録媒体に記録するコンテンツ移動手段と、をさらに備えていることを特徴とする請求項１に記載の記録媒体編集装置。
【請求項３】
上記ドライブ装置に記録媒体が装填されたとき、該記録媒体に記録されているタイトルリストおよび識別情報を取得するとともに、取得したタイトルリストを取得した識別情報と対応付けて上記タイトル記憶用メモリに記憶させるタイトルリスト取得手段を、さらに備えていることを特徴とする請求項２に記載の記録媒体編集装置。
【請求項４】
上記タイトルリスト取得手段は、上記ドライブ装置に装填された記録媒体に記録されているコンテンツのデータサイズを取得するとともに、取得したデータサイズを該コンテンツのタイトルに関連付けて上記タイトル記憶用メモリに記憶させるものであり、
上記コンテンツ移動手段は、コンテンツを上記コンテンツ記録用メモリから読み出して上記ドライブ装置を用いて上記装填された記録媒体に記録する際、上記タイトル記憶用メモリに記憶された当該コンテンツのデータサイズが上記装填された記録媒体の残り記憶容量を上回った場合、当該コンテンツのデータ形式を変更することによって、当該コンテンツのデータサイズを小さくする、ことを特徴とする請求項３に記載の記録媒体編集装置。
【請求項５】
上記タイトル記憶用メモリは、不揮発性メモリであることを特徴とする請求項１から４のいずれか１項に記載の記録媒体編集装置。
【請求項６】
複数の記録媒体の間でコンテンツを相互に入れ替える記録媒体編集装置における記録媒体編集方法であって、
上記記録媒体編集装置は、上記複数の記録媒体の各々について、当該記録媒体に記録されているコンテンツのタイトルを含むタイトルリストを、当該記録媒体に付与された識別情報と対応付けて記憶するタイトル記憶用メモリを備え、
上記タイトル記憶用メモリに記憶されているタイトルリストをユーザーに提示すると共に、提示したタイトルリストに対するユーザーの操作を受け付け、該操作に従って上記タイトル記憶用メモリに記憶されているタイトルリストの間でタイトルを相互に入れ替えるタイトルリスト編集ステップを含むことを特徴とする記録媒体編集方法。
【請求項７】
請求項１から５のいずれか１項に記載の記録媒体編集装置を動作させるためのプログラムであって、コンピュータを上記の各手段として機能させるためのプログラム。
【請求項８】
請求項７に記載のプログラムが記録されたコンピュータ読み取り可能な記録媒体。
【発明の詳細な説明】
【技術分野】
【０００１】
本発明は、複数の記録媒体間でコンテンツを移動する記録媒体編集装置および記録媒体編集方法に関する。また、コンピュータを記録媒体編集装置で動作させるためのプログラム、および、そのようなプログラムを記録した記録媒体に関する。
【背景技術】
【０００２】
現在、様々な記録メディアが実用化されているが、なかでも、ＢＤ（Blu-ray Disc）、ＤＶＤ（Digital Versatile Disc）、ＣＤ（Compact Disc）などの光ディスクは、映像記録用やデータ記録用など様々な用途に広く活用されている。しかし、光ディスクのような着脱可能な記録メディアにコンテンツを記録する場合、複数の記録メディアにコンテンツが散在することになり、ユーザーは所望のコンテンツを見つけ出すのに苦労するという問題がある。
【０００３】
このような問題を解決するための技術として、例えば、特許文献１に記載のディスク編集装置が挙げられる。このディスク編集装置は、タイトル情報記録手段を内蔵したディスク編集装置であって、このタイトル情報記録手段に光ディスクのタイトル情報を記録しておくことによって、その光ディスクが装填されているか否かに関わらず、その光ディスクのタイトル情報を表示することができる。
【先行技術文献】
【特許文献】
【０００４】
【特許文献１】特開２００５−２０３０４９号公報（２００５年７月２８日公開）
【発明の概要】
【発明が解決しようとする課題】
【０００５】
しかしながら、特許文献１に記載の技術を用いても、ユーザーは、それまでにディスク編集装置に装填した記録媒体のタイトルを一覧することができるに過ぎず、タイトルを一覧した結果、記録媒体間でコンテンツを移動しようと思えば、極めて煩雑な操作を強いられるという問題があった。
【０００６】
例えば、ハードディスクドライブを内蔵したＢＤレコーダに特許文献１に記載の技術を適用したとしても、（１）第１のＢＤをＢＤレコーダに装填し、（２）第１のＢＤから第２のＢＤに移動すべきコンテンツを、ハードディスクドライブにコピーするための操作を行い、（３）第１のＢＤを取り出して第２のＢＤを装填し、（４）先に第１のＢＤからハードディスクドライブに移動したコンテンツを、ハードディスクドライブから第２のＢＤにコピーするための操作を行なうという煩雑な過程を経なければ、第１のＢＤに記録されたコンテンツを第２のＢＤに移動することすらできない。まして、スポーツ番組を第１の記録媒体に集約し、クイズ番組のみを第２の記録媒体に集約し、ニュース番組のみを第３の記録媒体に集約すると言った複雑な編集作業を行なおうと思えば、ユーザーは大変な労力を強いられることとなる。
【０００７】
本発明は、上記問題点に鑑みてなされたものであり、簡便な操作で記録媒体間のコンテンツの移動を行なうことができる記録媒体編集装置を実現することである。
【課題を解決するための手段】
【０００８】
上記課題を解決するために、本発明に係る記録媒体編集装置は、複数の記録媒体の間でコンテンツを相互に入れ替える記録媒体編集装置であって、上記複数の記録媒体の各々について、当該記録媒体に記録されているコンテンツのタイトルを含むタイトルリストを、当該記録媒体に付与された識別情報と対応付けて記憶するタイトル記憶用メモリと、上記タイトル記憶用メモリに記憶されているタイトルリストをユーザーに提示すると共に、提示したタイトルリストに対するユーザーの操作を受け付け、該操作に従って上記タイトル記憶用メモリに記憶されているタイトルリスト間でタイトルを相互に入れ替えるタイトルリスト編集手段と、を備えていることを特徴とする。
【０００９】
また、上記課題を解決するために、本発明に係る記録媒体編集方法は、複数の記録媒体の間でコンテンツを相互に入れ替える記録媒体編集装置における記録媒体編集方法であって、上記記録媒体編集装置は、上記複数の記録媒体の各々について、当該記録媒体に記録されているコンテンツのタイトルを含むタイトルリストを、当該記録媒体に付与された識別情報と対応付けて記憶するタイトル記憶用メモリを備え、上記タイトル記憶用メモリに記憶されているタイトルリストをユーザーに提示すると共に、提示したタイトルリストに対するユーザーの操作を受け付け、該操作に従って上記タイトル記憶用メモリに記憶されているタイトルリスト間でタイトルを相互に入れ替えるタイトルリスト編集ステップを含むことを特徴とする。
【００１０】
上記の構成によれば、上記記録媒体編集装置が上記複数の記録媒体にアクセスできるか否か（例えば、上記複数の記録媒体がドライブ装置に装填されているか否か）によらずに、上記複数の記録媒体間でコンテンツを相互に入れ替えるための入れ替え操作を上記記録媒体編集装置に対して行なうことができる。したがって、上記複数の記録媒体間でコンテンツを相互に入れ替えるための入れ替え操作が簡便になる。
【００１１】
本発明に係る記録媒体編集装置は、コンテンツ記録用メモリと、上記タイトル記憶用メモリに記憶されている各タイトルリストについて、ドライブ装置に装填されている装填された記録媒体に付与された識別情報が当該タイトルリストに対応付けられた識別情報に一致するとき、上記タイトルリスト編集手段によって当該タイトルリストから他のタイトルリストに移動されたタイトルのコンテンツを、上記ドライブ装置を用いて上記装填された記録媒体から読み出して上記コンテンツ記録用メモリに記録し、上記タイトルリスト編集手段によって当該タイトルリストに他のタイトルリストから移動されたタイトルのコンテンツを、上記コンテンツ記録用メモリから読み出して上記ドライブ装置を用いて上記装填された記録媒体に記録するコンテンツ移動手段と、をさらに備えていることが好ましい。
【００１２】
上記の構成によれば、上記記録媒体編集装置に対してなされた入れ替え操作に従って、上記複数の記録媒体間でコンテンツを相互に入れ替えることができる。
【００１３】
なお、記録媒体編集装置は、上記ドライブ装置に記録媒体が装填されたとき、該記録媒体に記録されているタイトルリストおよび識別情報を取得するとともに、取得したタイトルリストを取得した識別情報と対応付けて上記タイトル記憶用メモリに記憶させるタイトルリスト取得手段を、さらに備えていてもよい。
【００１４】
本発明に係る記録媒体編集装置において、上記タイトル情報取得手段は、上記ドライブ装置に装填されている記録媒体に記録されているコンテンツのデータサイズを取得するとともに、取得したデータサイズを該コンテンツのタイトルに関連付けて上記タイトル記憶用メモリに記憶させるものであり、上記コンテンツ移動手段は、コンテンツを上記コンテンツ記録用メモリから読み出して上記ドライブ装置を用いて上記装填された記録媒体に記録する際、上記タイトル記憶用メモリに記憶された当該コンテンツのデータサイズが上記装填された記録媒体の残り記憶容量を上回った場合、当該コンテンツのデータ形式を変更することによって、当該コンテンツのデータサイズを小さくする、ことが好ましい。
【００１５】
上記の構成によれば、コンテンツの移動先となる記録媒体の残り記録容量が小さい場合であっても、その記録媒体にコンテンツを移動することができる。
【００１６】
本発明に係る記録媒体編集装置において、上記タイトル記憶用メモリは、不揮発性メモリであることが好ましい。
【００１７】
上記の構成によれば、電源断前に上記記録媒体編集装置に対してなされた入れ替え操作に従って、電源断後に上記複数の記録媒体間でコンテンツを相互に入れ替えることができる。
【００１８】
また、上記記録媒体編集装置の各手段を、プログラムによりコンピュータ上で実行させることができる。さらに、上記プログラムを、コンピュータ読取り可能な記録媒体に記憶させることにより、任意のコンピュータ上で当該プログラムを実行させることができる。
【発明の効果】
【００１９】
以上のように、本発明に係る記録媒体編集装置は、複数の記録媒体の間でコンテンツを相互に入れ替える記録媒体編集装置であって、上記複数の記録媒体の各々について、当該記録媒体に記録されているコンテンツのタイトルを含むタイトルリストを、当該記録媒体に付与された識別情報と対応付けて記憶するタイトル記憶用メモリと、上記タイトル記憶用メモリに記憶されているタイトルリストをユーザーに提示すると共に、提示したタイトルリストに対するユーザーの操作を受け付け、該操作に従って上記タイトル記憶用メモリに記憶されているタイトルリスト間でタイトルを相互に入れ替えるタイトルリスト編集手段と、を備えている。
【００２０】
また、本発明に係る記録媒体編集方法は、複数の記録媒体の間でコンテンツを相互に入れ替える記録媒体編集装置における記録媒体編集方法であって、上記記録媒体編集装置は、上記複数の記録媒体の各々について、当該記録媒体に記録されているコンテンツのタイトルを含むタイトルリストを、当該記録媒体に付与された識別情報と対応付けて記憶するタイトル記憶用メモリを備え、上記タイトル記憶用メモリに記憶されているタイトルリストをユーザーに提示すると共に、提示したタイトルリストに対するユーザーの操作を受け付け、該操作に従って上記タイトル記憶用メモリに記憶されているタイトルリスト間でタイトルを相互に入れ替えるタイトルリスト編集ステップを含んでいる。
【００２１】
このため、上記記録媒体編集装置が上記複数の記録媒体にアクセスできるか否かによらずに、上記複数の記録媒体間でコンテンツを相互に入れ替えるための入れ替え操作を上記記録媒体編集装置に対して行なうことができる。したがって、上記複数の記録媒体間でコンテンツを相互に入れ替えるための入れ替え操作が簡便になるという効果を奏する。
【図面の簡単な説明】
【００２２】
【図１】第１の実施形態に係るレコーダ装置の機能的な構成を示すブロック図である。
【図２】第１の実施形態に係るレコーダ装置の物理的な構成を示すブロック図である。
【図３】第１の実施形態に係るタイトルリスト取得処理の概要を示す図である。
【図４】第１の実施形態に係るタイトルリスト編集画面を例示した図である。
【図５】第１の実施形態に係るタイトルリスト編集処理の概要を示した図である。
【図６】第１の実施形態に係るコンテンツ移動処理の流れを示すフローチャートである。
【図７】第１の実施形態に係る移動元記録媒体に対するコンテンツ移動処理を説明する図である。
【図８】第１の実施形態に係る移動先記録媒体に対するコンテンツ移動処理を説明する図である。
【図９】第２の実施形態に係るレコーダ装置の要部構成を示すブロック図である。
【図１０】ドライブ部に備えられた記憶部の初期化処理を示す図であり、（ａ）は記憶部の初期化の際の表示装置における表示の一例を示す図であり、（ｂ）は初期化処理後の記憶部を模式的に示す図である。
【図１１】記録媒体の登録処理を示す図であり、（ａ）は記録媒体の登録処理の際の表示装置における表示の一例を示した図であり、（ｂ）は記録媒体の登録処理後の記憶部を模式的に示した図である。
【図１２】実施形態に係るレコーダ装置における予約登録処理を示す図であり、（ａ）は予約登録処理後の記憶部の状態を模式的に示した図であり、（ｂ）は予約登録処理後の記憶部およびマイディスクの状態を模式的に示した図であり、（ｃ）は予約登録処理の際の表示装置における表示の一例を示した図である。
【図１３】マイディスクが装填されている状態での録画処理を示す図であり、（ａ）は録画処理後の記憶部およびマイディスクの状態を模式的に示した図であり、（ｂ）は録画処理後の記憶部の状態を模式的に示した図である。
【図１４】コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図１５】本実施形態に係るレコーダ装置においてマイディスクが装填されていない状態での録画処理を示す図であり、（ａ）は録画処理後の記憶部の状態を模式的に示した図であり、（ｂ）は録画処理後の記憶部の状態を模式的に示した図である。
【図１６】コンテンツ２を録画した際の各記憶部の状態を示す図であり、（ａ）は領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図１７】コンテンツの同期処理後の記憶部およびディスク１の状態を示す図である。
【図１８】コンテンツ２を同期処理した際の各記憶部の状態を示す図であり、（ａ）は領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１９】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図２０】領域１に記録されていたコンテンツ１およびコンテンツ２を削除した後に、新たにコンテンツ４を録画したときの記憶部およびディスク１の状態を示す図である。
【図２１】コンテンツ４を録画した際の各記憶部の状態を示す図であり、（ａ）は領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図２２】コンテンツ１〜３を記録したディスク１が装填されている場合の各記憶部の状態を示す図である。
【図２３】マイディスクが装填されている場合において、再生時にコンテンツが読み出される媒体を模式的に示した図である。
【図２４】ドライブ部に記録媒体が装填されていない場合の各記憶部の状態を示す図である。
【図２５】マイディスクが装填されていない場合において、再生時にコンテンツが読み出される媒体を模式的に示した図である。
【図２６】マイディスクが装填されている場合において、コンテンツが編集される媒体を模式的に示した図である。
【図２７】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２８】第２の実施形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２９】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図３０】表示装置におけるコンテンツおよびタイトルリストに記録されている情報の表示を概略的に示す図である。
【発明を実施するための形態】
【００２３】
〔実施形態１〕
本発明に係る記録媒体編集装置の第１の実施形態について、図面に基づいて説明すれば以下のとおりである。なお、本実施形態に係る記録媒体編集装置は、記録媒体にコンテンツを記録するレコーダ装置として実現されているので、以下ではこれを「レコーダ装置」と呼称する。なお、本実施形態に係るレコーダ装置は、コンテンツを記録媒体に記録（録画）する記録機能（録画機能）だけでなく、記録媒体に記録されたコンテンツを再生する再生機能も有するレコーダ装置である。なお、記録媒体としては、主としてBD−ＲＥディスクまたはＢＤ−Ｒディスクが想定されるが、これに限定されるものではない。
【００２４】
本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなど、着脱可能な記録媒体にデータを書き込むドライブ装置一般に適用することができる。
【００２５】
（レコーダ装置の物理的な構成）
まず、本実施形態に係るレコーダ装置１０の物理的な構成について、図２を参照して説明する。図２は、レコーダ装置１０の物理的な構成を示したブロック図である。
【００２６】
レコーダ装置１０は、図２に示したように、チューナー１１、エンコーダ１２、ワークメモリ１３、タイトル記憶用メモリ１４、デコーダ１５、出力インターフェース１６、リモコン受信部１７、操作部１８、ドライブ装置１９を備えている。これらのブロックは、バス２０により互いに接続されており、制御部２１により制御されている。
【００２７】
レコーダ装置１０は、チューナー１１にて受信したコンテンツを録画する録画機能を有している。すなわち、チューナー１１にて受信したコンテンツをエンコーダ１２にてエンコードし、エンコードされたコンテンツをドライブ装置１９に装填された記録媒体に記録することができる。
【００２８】
なお、レコーダ装置１０は、チューナー１１にて受信したコンテンツの録画を、操作部１８にて検出したユーザー操作に応じて設定され、ワークメモリ１３に記録された予約録画情報に応じて実行することもできるし、（予約録画情報を設定することなく）操作部１８にて検出したユーザー操作に応じて実行することもできる。
【００２９】
また、レコーダ装置１０は、記録媒体に記録されているコンテンツを再生する再生機能を有している。すなわち、記録媒体に記録されたコンテンツをドライブ装置１９にて読み出し、読み出されたコンテンツをデコーダ１５にてデコードし、デコードされたコンテンツを出力インターフェース１６を介してテレビ等の表示装置に出力することができる。
【００３０】
なお、レコーダ装置１０は、チューナー１１にて受信したコンテンツをリアルタイム再生することもできる。すなわち、チューナー１１にて受信してエンコーダ１２にてエンコードしたコンテンツを、（記録媒体に記録することなく）デコーダ１５にてデコードして出力インターフェース１６を介してテレビ等の表示装置に出力することもできる。
【００３１】
レコーダ装置１０が有している以上の機能は、従来のレコーダ装置も有している公知の機能であるため、これ以上の説明は割愛する。レコーダ装置１０が有している、従来のレコーダ装置にはない機能は、２以上の記録媒体の間でコンテンツを移動または複製する記録媒体編集機能である。以下では、図１および図３〜８を適宜参照しながら、この記録媒体編集機能について説明する。
【００３２】
（レコーダ装置の機能的な構成）
次に、レコーダ装置１０の機能的な構成について、図１を参照して説明する。図１は、レコーダ装置１０の機能的な構成を示したブロック図である。なお、図１においては、制御部２１が有する各機能を制御部２１の内部ブロックとして表現するとともに、編集機能との関連性が希薄なブロックについては図示を省略している。レコーダ装置１０の制御部２１は、図１に示したように、タイトルリスト取得部２１ａと、タイトルリスト編集部２１ｂと、コンテンツ移動部２１ｃとを備えている。
【００３３】
タイトルリスト取得部２１ａは、編集対象記録媒体（編集対象記録媒体の定義については後述する）の各々に記録されたタイトルリストを取得するための手段である。タイトルリスト取得部２１ａによって取得されたタイトルリストは、タイトル記憶用メモリ１４に格納される。タイトルリスト取得部２１ａによるタイトルリスト取得処理の詳細については、参照する図面を代えて後述する。
【００３４】
タイトルリスト編集部２１ｂは、タイトルリスト取得部２１ａにより取得され、タイトル記憶用メモリ１４に格納されたタイトルリストを、リモコン受信部１７または操作部１８にて検出したユーザー操作に応じて編集するための手段である。タイトルリスト編集部２１ｂによるタイトルリスト編集処理の詳細についても、参照する図面を代えて後述する。
【００３５】
コンテンツ移動部２１ｃは、タイトルリスト編集部２１ｂにより編集されたタイトルリストに従って編集対象記録媒体間でコンテンツの移動を行なうための手段である。コンテンツ移動部２１ｃによるコンテンツ移動処理の詳細についても、参照する図面を代えて後述する。
【００３６】
（タイトルリスト取得処理）
次に、タイトルリスト取得部２１ａによるタイトルリスト取得処理について、図３を参照して説明する。図３は、タイトルリスト取得部２１ａによるタイトルリスト取得処理の概要を示した図である。ここでは、２枚の記録媒体（ディスクＡおよびディスクＢ）からタイトルリストを取得するタイトルリスト取得処理を例示している。
【００３７】
図３の上段に示したように、記録媒体には、その記録媒体に記録されたコンテンツのタイトルが登録されたタイトルリストが記録されている。また、その編集対象記録媒体の記録容量、残り記録容量、および、記録媒体識別子が記録されている。
【００３８】
タイトルリスト取得部２１ａは、ドライブ装置１９に装填された記録媒体から記録媒体識別子とタイトルリストとを読み出し、読み出したタイトルリストを記録媒体識別子に関連付けてタイトル記憶用メモリ１４に記録する。このようにして、記録媒体識別子とタイトルリストとがタイトル記憶用メモリ１４に記録された記録媒体のことを、本実施形態においては、編集対象記録媒体と呼称する。
【００３９】
複数の記録媒体をドライブ装置１９に順に装填することにより、これら複数の記録媒体を編集対象記録媒体として登録することができる。図３に示した例では、ディスクＡがドライブ装置１９に装填された際に、ディスクＡのタイトルリストをタイトル記憶用メモリ１４に記録し、ディスクＢがドライブ装置１９に装填された際に、ディスクＢのタイトルリストがタイトル記憶用メモリ１４に記録することによって、ディスクＡとディスクＢとを編集対象記録媒体として登録する様子を示している。
【００４０】
また、図３の下段に示したように、タイトルリスト取得部２１ａは、タイトルリストとともに、編集対象記録媒体から記録容量および残り記録容量を読み出し、読み出した記録容量および残り記録容量を記録媒体識別子と関連付けてタイトル記憶用メモリ１４に記録するように構成されている。また、図３の下段に示したように、タイトルリスト取得部２１ａは、編集対象記録媒体に記録された各コンテンツのデータサイズを特定し、特定したデータサイズをそのコンテンツのタイトルに関連付けてタイトル記憶用メモリ１４に記録するように構成されている。
【００４１】
なお、記録媒体がＢＤ−ＲＥ／Ｒディスクである場合、記録媒体に記録された記録媒体識別子として、例えば、ＢＣＡ領域（Burst Cutting Area）に記録されているＭｅｄｉａ  ＩＤを利用することができる。また、記録媒体に記録されたタイトルリストとしては、ＢＤ−ＲＥ／Ｒディスクに記録されているファイル「PlayList」の情報「PlayList_name」を利用することができる。
【００４２】
（タイトルリスト編集処理）
次に、タイトルリスト編集部２１ｂによるタイトルリスト編集処理について、図４〜図５を参照して説明する。図４は、タイトルリスト編集部２１ｂにより生成され、ユーザーに提示されるタイトルリスト編集画面を例示した図であり、図５は、タイトルリスト編集部２１ｂによるタイトルリスト編集処理の概要を示した図である。
【００４３】
タイトルリスト編集部２１ｂは、まず、図４に示したようなタイトルリスト編集画面を生成し、生成したタイトルリスト編集画面を出力インターフェース１６を介して表示装置に出力する。
【００４４】
このタイトルリスト編集画面には、２つのタイトルリスト表示領域が設けられている。第１のタイトルリスト表示領域は、移動元記録媒体としてユーザーにより選択された編集対象記録媒体のタイトルリストを表示するための領域であり、第２のタイトルリスト表示領域は、移動先記録媒体としてユーザーにより選択された編集対象記録媒体のタイトルリストを表示するための領域である。
【００４５】
このタイトルリスト編集画面は、第１のタイトルリスト表示領域の上端に設けられた、編集対象記録媒体の各々に関連付けられたタブの何れかをクリックすることにより、移動元記録媒体を選択することができるようになっている。また、第２のタイトル表示領域の上端に設けられた、編集対象記録媒体の各々に関連付けられたタブの何れかをクリックすることにより、移動先記録媒体を選択することができるようになっている。また、第１のタイトルリスト表示領域に表示されたタイトルの何れかを第２のタイトルリスト表示領域にドラッグすることにより、移動元記録媒体から移動先記録媒体に移動する移動対象コンテンツを選択することができるようになっている。
【００４６】
図４に示した例では、ディスクＡが移動元記録媒体として選択され、ディスクＡのタイトルリストが第１のタイトルリスト表示領域に表示されている。また、ディスクＢが移動先記録媒体として選択され、ディスクＢのタイトルリストが第２のタイトルリスト表示領域に表示されている。このタイトルリスト編集画面において、例えば、タイトル３を第１のコンテンツリスト表示領域から第２のコンテンツリスト表示領域にドラックすると、タイトル３に対応するコンテンツが移動対象コンテンツとして選択される。
【００４７】
なお、タイトルリスト編集部２１ｂがユーザーに提示するタイトルリスト編集画面は、図４に例示したものに限定されない。すなわち、タイトルリスト編集部２１ｂがユーザーに提示するタイトルリスト編集画面は、移動元記録媒体、移動先記録媒体、および、移動対象コンテンツを選択させることができるものなら何でもよい。
【００４８】
タイトルリスト編集部２１ｂは、タイトルリスト編集画面に対してなされたユーザー操作に応じてタイトル記憶用メモリ１４に記録されたタイトルリストを編集する。より具体的に言うと、（１）移動元記録媒体のタイトルリストから、移動対象コンテンツのタイトルを削除するとともに、移動元記録媒体のタイトルリストに、移動対象コンテンツのタイトルと、移動対象コンテンツの移動先（編集対象記録媒体の何れか）を指定する移動先記録媒体指定情報とを関連付けて登録する。また、（２）移動先記録媒体のタイトルリストに、移動対象コンテンツのタイトルと、移動元記録媒体を指定する移動元記録媒体指定情報とを関連付けて登録する。
【００４９】
なお、移動先記録媒体指定情報における移動先記録媒体の指定には、例えば、移動先記録媒体の記録媒体識別子を利用することができる。移動元記録媒体指定情報における移動元記録媒体の指定についても同様である。
【００５０】
図５に示した例では、ディスクＡのタイトルリストから、タイトル３を削除するとともに、ディスクＡのタイトルリストに、タイトル３と、移動先記録媒体としてディスクＢを指定する移動先記録媒体指定情報とを関連付けて登録している。また、ディスクＢのタイトルリストに、タイトル３と、移動元記録媒体としてディスクＡを指定する移動元記録媒体指定情報を関連付けて登録している。
【００５１】
タイトルリスト編集部２１ｂは、タイトルリストの編集に際して、移動先記録媒体の残り記録容量と、移動対象コンテンツのデータサイズとを比較する。そして、移動対象コンテンツのデータサイズが、移動先記録媒体の残り記録容量を上回っている場合には、エンコード後のデータサイズが移動先記録媒体の残り記録容量を下回るようなエンコード方式を選択するとともに、選択したエンコード方式を指定するエンコード方式指定情報を移動元記録媒体および移動先記録媒体のタイトルリストに移動対象コンテンツのタイトルと関連付けて登録する。
【００５２】
図５に示した例では、ディスクＢの残り記録容量（２０ギガバイト）と、コンテンツ３のデータサイズとを比較している。ここでは、コンテンツデータ３のデータサイズがディスクＢの残り記録容量を下回っている場合を想定しているが、コンテンツデータ３のデータサイズがディスクＢの残り記録容量を上回っている場合には、選択したエンコード方式するエンコード方式指定情報が、ディスクＡのタイトルリストにもディスクＢのタイトルリストにも記録されることになる。
【００５３】
なお、記録媒体に記録されたコンテンツは、例えば、ＭＰＥＧ２データであることが想定される。この場合、ＭＰＥＧ２より圧縮率の高いエンコード方式として、例えば、ＭＰＥＧ４などが挙げられる。
【００５４】
（コンテンツ移動処理）
次に、コンテンツ移動部２１ｃによるコンテンツ移動処理について、図６〜図８を参照して説明する。図６は、コンテンツ移動処理の流れを示すフローチャートであり、図７は、移動元記録媒体に対するコンテンツ移動処理を説明する図であり、図８は、移動先記録媒体に対するコンテンツ移動処理を説明する図である。
【００５５】
まず、コンテンツ移動処理の流れについて図６を参照して説明する。なお、図６には、コンテンツ移動処理に先立って行われるタイトルリスト取得処理Ｓ１０と、タイトルリスト編集処理Ｓ２０とについても示しているが、これらの処理については既に説明したので、ここではその説明を省略する。これらの処理の後に行われるコンテンツ移動処理Ｓ３０について説明すれば以下のとおりである。
【００５６】
まず、コンテンツ移動部２１ｃは、タイトル記憶用メモリ１４に記録されたタイトルリストを参照して、編集対象記録媒体の装填順序を決定する（ステップＳ３１）。編集対象記録媒体の装填順序としては、例えば、他の編集対象記録媒体に移動すべきコンテンツの数に応じた装填順序を挙げることができる。この場合、他の編集対象記録媒体に移動すべきコンテンツ数が多い編集対象記録媒体が先に装填され、他の編集対象記録媒体に移動すべきコンテンツ数が少ない編集対象記録媒体が後に装填されることになる。図５に示した例に即して言えば、ディスクＡ（他の編集対象記録媒体に移動すべきコンテンツ数＝１）が先に装填され、ディスクＢ（他の編集対象記録媒体に移動すべきコンテンツ数＝０）が後に装填されることになる。
【００５７】
次に、コンテンツ移動部２１ｃは、ステップＳ３１において決定した装填順序に従って、今装填すべき記録媒体をユーザーに知らせるメッセージを、出力インターフェース１６を介して表示装置に出力する（ステップＳ３２）。すなわち、ステップ３２が最初に実行されるときには、ステップＳ３１において決定された装填順序において１番目の編集対象記録媒体（の記録媒体識別子）をユーザーに知らせるメッセージを出力し、ステップ３２が２回目に実行されるときには、ステップＳ３１において決定された装填順序において２番目の編集対象記録媒体（の記録媒体識別子）をユーザーに知らせるメッセージを出力する。
【００５８】
ステップＳ３２において、コンテンツ移動部２１ｃは、ドライブ装置１９に記録媒体が装填されると（以下、現にドライブ装置１９に装填されている記録媒体を「装填された記録媒体」と呼称する）、装填された記録媒体から読み出した記録媒体識別子に基づいて、装填された記録媒体が今装填されるべき編集対象記録媒体であるか否かを判定する。そして、装填された記録媒体が今装填されるべき編集対象記録媒体であれば、以下のステップに進む。
【００５９】
次に、コンテンツ移動部２１ｃは、図７に示したように、装填された記録媒体（図７においてディスクＡ）から他の編集対象記録媒体（図７においてディスクＢ）に移動すべき移動対象コンテンツを読み出し、読み出した移動対象コンテンツをワークメモリ１３に格納する（ステップＳ３３）。ステップＳ３３において、コンテンツ移動部２１ｃは、タイトル記憶用メモリ１４に記録されている装填された記録媒体のタイトルリストを参照することによって、装填された記録媒体から他の編集対象記録媒体に移動すべき移動対象コンテンツを特定する。より具体的には、装填された記録媒体に記録されているコンテンツのうち、タイトル記憶用メモリ１４に記録されている装填された記録媒体のタイトルリストにおいて移動先記録媒体指定情報が関連付けられているタイトルをもつコンテンツを、装填された記録媒体から他の編集対象記録媒体に移動すべき移動対象コンテンツであると特定する。移動対象コンテンツのワークメモリ１３への格納が完了すると、コンテンツ移動部２１ｃは、タイトル記憶用メモリ１４に記録されている装填された記録媒体のタイトルリストから、移動先記録媒体指定情報と関連付けて登録されている移動対象コンテンツのタイトルを削除する。
【００６０】
なお、ステップＳ３３において、移動対象コンテンツをワークメモリ１３に格納した後、移動対象コンテンツを装填された記録媒体から削除するようにしてもよいし、削除しないようにしてもよい。前者の場合、移動対象コンテンツコンテンツの「移動」が行なわれることになり、後者の場合、移動対象コンテンツの「複製」が行なわれることになる。また、移動対象コンテンツを装填された記録媒体から削除するか否かを、そのコンテンツにコピーワン設定がなされているか否かに応じて決めるようにしてもよい（コピーワンス設定がなされていれば、移動対象コンテンツを装填された記録媒体から削除する）。また、「移動」するか「複製」するかをユーザーに問い合わせ、移動対象コンテンツを装填された記録媒体から削除するか否かを決めるようにしてもよい。
【００６１】
次に、コンテンツ移動部２１ｃは、図８に示したように、他の編集対象記録媒体（図８においてディスクＡ）から装填された記録媒体（図８においてディスクＢ）に移動すべき移動対象コンテンツをワークメモリ１３から読み出し、読み出したコンテンツを装填された記録媒体に記録する（ステップＳ３４）。ステップＳ３４において、コンテンツ移動部２１ｃは、タイトル記憶用メモリ１４に記録されている装填された記録媒体のタイトルリストを参照することによって、他の編集対象記録媒体から装填された記録媒体に移動すべき移動対象コンテンツを特定する。より具体的には、タイトル記憶用メモリ１４に記録されている装填された記録媒体のタイトルリストにおいて移動元記録媒体指定情報が関連付けられているタイトルをもつコンテンツを、他の編集対象記録媒体から装填された記録媒体に移動すべき移動対象コンテンツであると特定する。移動対象コンテンツの装填された記録媒体への記録が完了すると、コンテンツ移動手段１２ｃは、タイトル記憶用メモリ１４に記録されている装填された記録媒体のタイトルリストから、移動先記録媒体指定情報と関連付けて登録されている移動対象コンテンツのタイトルを削除する。
【００６２】
なお、ステップＳ３４において装填された記録媒体に移動することができるコンテンツは、装填された記録媒体よりも装填順序が前の編集対象記録媒体に記録されたコンテンツに限られる。そこで、コンテンツ移動部２１ｃは、タイトル記憶用メモリ１４に記録されている装填された記録媒体のタイトルリストに、装填された記録媒体よりも装填順序が後の編集対象記録媒体を指定する移動元記録媒体指定情報が関連付けられたタイトルが含まれている場合には、装填された記録媒体を装填順序の末尾に追加し装填された記録媒体が再度装填されるようにする。
【００６３】
ステップＳ３１において定められた装填順序に従って、ステップＳ３２〜Ｓ３４を繰り返すことにより、編集対象記録媒体間のコンテンツの移動が完了する。
【００６４】
（第１の実施形態に関する付記事項）
なお、本実施形態においては、ドライブ装置１９の外部にあるメモリ１４をタイトル記憶用メモリとして利用する構成について説明したが、ドライブ装置１９に内蔵されたメモリをタイトル記憶用メモリとして利用するようにしてもよい。また、ドライブ装置１９の外部にあるメモリ１３をワークメモリとして利用する構成について説明したが、ドライブ装置１９に内蔵されたメモリをワークメモリとして利用するようにしてもよい。また、このメモリ１４は、不揮発性メモリであることが好ましい。これにより、電源断前に編集されたタイトルリストを参照して、電源断後にコンテンツの移動を行なうことができる。
【００６５】
〔実施形態２〕
本発明に係る記録媒体編集装置の第２の実施形態について、図面に基づいて説明すれば以下のとおりである。なお、本実施形態に係る記録媒体編集装置も、記録媒体にコンテンツを記録するレコーダ装置として実現されているので、以下でもこれを「レコーダ装置」と呼称する。なお、本実施形態に係るレコーダ装置は、コンテンツを記録媒体に記録（録画）する記録機能（録画機能）だけでなく、記録媒体に記録されたコンテンツを再生する再生機能も有するレコーダ装置である。
【００６６】
＜レコーダ装置１００の構成＞
本実施形態に係るレコーダ装置の構成について、図９を参照しつつ以下に説明する。図９は、レコーダ装置１００の要部構成を示すブロック図である。
【００６７】
図９に示すように、レコーダ装置１００は、レコーダ装置１００に入力されるコンテンツの再生または記録（録画）全般を実行するバックエンド部２００、ならびに、装填されている記録媒体からのデータの読み出し、および装填されている記録媒体に対するデータの書き込み全般を実行するドライブ部３００を備えている。
【００６８】
ドライブ部３００は、従来のドライブ装置装置が備えている機能に加え、以下の機能を新規な機能を有している。すなわち、（１）ユーザーにより指定された複数の記録媒体をマイディスクとして登録する登録機能、（２）マイディスクとして登録された記録媒体に対する書き込み命令がバックエンド部２００から与えられたとき、その記録媒体にデータを書き込むと共に、ドライブ部３００内に設けられたメモリにデータを書き込む書き込み機能、（３）マイディスクに対する読み出し命令がバックエンド部２００から与えられたときに、その記録媒体からデータを読み出す代わりに、上記メモリからデータを読み出す読み出し機能、および、（４）マイディスクとして登録された記録媒体に書き込む代わりに上記メモリに書き込まれたデータをその記録媒体に書き込み、上記メモリと上記記録媒体とに記録されているデータを同期させる同期機能を有している。そして、バックエンド部２００は、これらの新規な機能を利用して、コンテンツの録画、再生、および編集を行なう。以下、このようなバックエンド部２００およびドライブ部３００の構成例について、以下に順に説明する。
【００６９】
バックエンド部２００は、図９に示すように、チューナー部２１０、エンコーダ部２２０、ストリーム処理部２３０、バックエンド制御部２４０、デコーダ部２６０、画像処理部２７０、バッファ部２５０、記憶部（タイトル記憶用メモリ、コンテンツ記録用メモリ）２８０およびインターフェース部２９０を備えている。また、図９に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００７０】
ドライブ部３００は、図９に示すように、インターフェース部３１０、ドライブ制御部３２０、ディスクドライブ部３３０および記憶部３４０を備えている。また、図９に示すように、インターフェース部３１０、ドライブ制御部３２０、ディスクドライブ部３３０および記憶部３４０は、バスラインを介して互いに接続されている。
【００７１】
本明細書等では、記憶部３４０における各領域に対して対応付けられた記録媒体、すなわち自身の有するメディアＩＤが記憶部３４０に記録されている記録媒体を「マイディスク」と称する。
【００７２】
バックエンド部２００およびドライブ部３００の備える各部材について、以下に説明する。
【００７３】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００７４】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００７５】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００７６】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いてもよい。
【００７７】
（バックエンド制御部２４０）
バックエンド制御部２４０は、レコーダ装置１００におけるコンテンツデータの記録および再生全般を制御する。
【００７８】
ストリーム処理部２３０において復元したコンテンツデータを、ドライブ部３００に装填されている記録媒体に対して記録する場合、バックエンド制御部２４０は、記録媒体に書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００７９】
ドライブ部３００に装填されている記録媒体に記録されているコンテンツデータを再生する場合、バックエンド制御部２４０は、ドライブ部３００に対して、コンテンツデータを記録媒体から読み出すための読み出し命令を、インターフェース部２９０を介してドライブ制御部３２０に出力する。このとき、記録媒体から読み出されたコンテンツデータは、バッファ部２５０に一時的に格納される。
【００８０】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００８１】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００８２】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００８３】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００８４】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。
【００８５】
インターフェース部３１０は、入力されたデータをインターフェース部２９０を介してバックエンド制御部部２４０に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００８６】
なお、本実施形態では、インターフェース部２９０、３１０がＳＡＴＡである場合を例に挙げて説明する。
【００８７】
（ドライブ制御部３２０）
ドライブ制御部３２０は、ディスクドライブ部３３０に装填されている記録媒体からのデータの読み出し、および記録媒体へのデータの書き込みを制御すると共に、記憶部３４０からのデータの読み出し、および記憶部３４０へのデータの書き込みを制御する。
【００８８】
ドライブ制御部３２０では、インターフェース部３１０を介して入力されるバックエンド制御部２４０からの命令（記録媒体からのデータ読み出し命令、または記録媒体へのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている記録媒体からデータを読み出す。
【００８９】
インターフェース部２９０、３１０がＡＴＡインターフェースである場合、バックエンド制御部２４０からの書き込み命令および読み出し命令は、ＡＴＡコマンドとなる。また、本実施形態では、所定の領域に対するデータの書き込み命令を実現するために、記憶部３４０におけるいずれの領域（後述するマイディスク）に対してデータを書き込むのかを表す情報（書き込み対象領域情報）をＡＴＡコマンドに含めてドライブ制御部３２０に出力するようにすることが好ましい。もちろん、書き込み対象領域情報を含めたＡＴＡコマンドを用いる以外にも、書き込み対象領域情報を示すＡＴＡコマンドを出力して記憶部３４０の記録対象領域（対象マイディスク）を指定した後に、書き込み命令および書き込み対象データを表すＡＴＡコマンドをドライブ制御部３２０に出力するようにしてもよい。なお、これは書き込み命令に限るものではなく、読み出し命令についても同様である。
【００９０】
（ディスクドライブ部３３０）
ディスクドライブ部３３０は、ドライブ制御部３２０からの指示に基いて動作し、装填されている記録媒体からのデータの読み出し、または記録媒体に対するデータの書き込みを実行する。
【００９１】
ディスクドライブ部３３０は、装填されている記録媒体からデータを読み出したり、記録媒体対してデータを書き込んだりするための光ピックアップ部などを備えている。
【００９２】
（記憶部３４０）
記憶部３４０は、レコーダ装置１００において記録媒体に対して記録するコンテンツデータなどのデータを記憶するデータメモリである。記憶部３４０におけるコンテンツデータの記録については、下記に詳述するため、ここではその説明を省略する。
【００９３】
なお、記憶部３４０は、記録媒体よりもデータアクセス速度が速いものであれば特に限定されるものではないが、電源をオフにしても記録内容の消去されない不揮発性メモリであることが好ましい。より具体的にはフラッシュメモリを用いることが好ましい。
【００９４】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図１０（ａ）および（ｂ）および図１１（ａ）および（ｂ）を参照して説明する。レコーダ装置１００における事前設定は、記憶部３４０の初期化処理と、記憶部３４０に対する記録媒体の登録処理の２つに大別することができる。
【００９５】
＜記憶部３４０の初期化処理＞
記憶部３４０の初期化処理について、図１０（ａ）および（ｂ）を参照しつつ説明する。図１０（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００９６】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００９７】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図１０（ａ）に示すような画像を表示することが好ましい。
【００９８】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【００９９】
図１０（ｂ）は、初期化処理後の記憶部３４０を示している。図１０（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【０１００】
管理領域は、図１０（ｂ）に示すように、領域１〜領域ｎを管理するマイディスク管理領域と、マイディスク管理領域を管理するメモリ管理領域と、に分けることができる。
【０１０１】
マイディスク管理領域には、領域１〜領域ｎの各領域を管理する管理情報が記録されている。図１０（ｂ）では、便宜上、領域１を管理する管理情報の記録されている領域を「エントリ１」と称し、以下同様に領域２〜ｎを管理する管理情報の記録されている領域をエントリ２〜ｎと称する。
【０１０２】
領域１を管理するエントリ１には、エントリ番号、割り当てフラグ、メディアＩＤ情報、割り当てエリア情報、メディアキー情報およびマップ情報が記録されている。これらの各情報について以下に説明する。
【０１０３】
「エントリ番号」は、いずれの領域を管理するのかを示す情報である。例えば、エントリ１は、領域１を管理する管理情報であるため、エントリ番号としては「１」を示す情報が記録されている。
【０１０４】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【０１０５】
「メディアＩＤ」は、記録媒体のメディアＩＤを示す情報である。初期化処理段階では、メディアＩＤの情報は記録されていない。メディアＩＤの情報の記録については、後述の記録媒体の登録処理において説明する。
【０１０６】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【０１０７】
「メディアキー情報」は、データを記録媒体に対して記録するときの著作権保護に用いられる暗号化を実行するためのキー情報である。メディアキー情報としては、例えば、ＭＫＢ（Media Key Block）を挙げることができる。
【０１０８】
「マップ情報」は、記録媒体に記録されたコンテンツのそれぞれについて、当該コンテンツが記録される記録媒体の領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【０１０９】
また、メモリ管理領域には、図１０（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【０１１０】
なお、記憶部３４０を領域１〜領域ｎに仮想的に分割した時に生じる余りの領域を予備領域として活用するようにしてもよい。
【０１１１】
＜記録媒体の登録処理＞
次に、記憶部３４０に対する記録媒体の登録処理について、図１１（ａ）および（ｂ）を参照しつつ説明する。図１１（ａ）および（ｂ）は、記録媒体の登録処理を示す図であり、（ａ）は記録媒体の登録処理の際の表示装置における表示の一例を示した図であり、（ｂ）は記録媒体の登録処理後の記憶部３４０を模式的に示した図である。
【０１１２】
記録媒体の登録処理とは、記憶部３４０において仮想的に分割されている各領域を管理するエントリに対して、記録媒体のメディアＩＤを記録する処理である。
【０１１３】
記録媒体がドライブ部３００に装填されると、ドライブ制御部３２０は、ディスクドライブ部３３０に対して、装填された記録媒体から当該記録媒体のメディアＩＤを読み出すように指示する。ディスクドライブ部３３０が記録媒体からメディアＩＤを読み出すと、ドライブ制御部３２０は、記憶部３４０において読み出したメディアＩＤがマイディスク管理領域におけるエントリに既に記録されているメディアＩＤであるか否かを判定する。
【０１１４】
読み出したメディアＩＤがマイディスク管理領域におけるエントリのいずれにも記録されていない場合、ドライブ制御部３２０は、マイディスク管理領域におけるエントリのうち、割り当てフラグが記録媒体の割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの記録媒体固有の情報についても、この時点でメディアＩＤ情報を記録したエントリに対して記録される。
【０１１５】
なお、上述した記録媒体の登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【０１１６】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【０１１７】
なお、メディアＩＤをエントリに記録する際には、表示装置に図１１（ａ）に示すような画像を表示するようにすることが好ましい。
【０１１８】
図１１（ｂ）は、メディアＩＤ「ａａａ」を有する記録媒体をエントリ１に記録した場合における記録媒体の登録後の記憶部３４０の状態を示している。
【０１１９】
記録媒体のメディアＩＤをエントリ１に記録した場合、図１１（ｂ）に示すように、記録媒体はエントリ１により管理される領域１に対して対応付けられることになる。
【０１２０】
本明細書等では、記憶部３４０における各領域に対して対応付けられた記録媒体、すなわち自身の有するメディアＩＤが記憶部３４０に記録されている記録媒体を「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【０１２１】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【０１２２】
レコーダ装置１００におけるコンテンツ録画動作について、図１２（ａ）〜（ｃ）〜図２１（ａ）〜（ｃ）を参照して以下に説明する。なお、ここでは、コンテンツ録画動作として、予約録画処理を例に挙げて説明する。
【０１２３】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１２４】
（予約登録処理）
まず、レコーダ装置１００における予約登録処理について、図１２（ａ）〜（ｃ）を参照しつつ以下に説明する。図１２（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１２５】
予約登録処理とは、記憶部２８０および記録媒体に対して予約情報を登録する処理である。予約登録処理については、記憶部３４０の領域１に対応付けられたディスク１を装填している場合を例に挙げて説明する。
【０１２６】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図１２（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【０１２７】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図１２（ｂ））。このとき、ディスク１には、既にメディアＩＤは記録されているため、メディアＩＤについては記録しなくてもよい。
【０１２８】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１２９】
図１２（ｃ）には、記憶部３４０の領域１に対応付けられたディスク１を装填している場合に予約登録した際の表示装置に表示する画像の一例を示している。
【０１３０】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図１３（ａ）および（ｂ）を参照しつつ以下に説明する。図１３（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１３１】
コンテンツ１の録画が完了すると、図１３（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１３２】
次に、コンテンツ１を記憶部３４０の領域１およびディスク１に記録した際の記憶部３４０および記憶部２８０の状態について図１４（ａ）〜（ｃ）を参照しつつ以下に説明する。図１４（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１３３】
ここで、一般的には、記憶部３４０の領域１とディスク１とのデータ容量は異なる。そのため、領域１では、物理アドレスとは別に、ディスク１におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１３４】
図１４（ａ）には、記憶部３４０の領域１における仮想ディスクイメージを示している。図１４（ａ）に示すように、記憶部３４０の領域１において、物理アドレス「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１３５】
続いて、図１４（ａ）において示した物理アドレスと仮想アドレスとの関連付けを実現するためのマップテーブルについて、図１４（ｂ）を参照しつつ説明する。
【０１３６】
マップテーブルは、記憶部３４０のマイディスク管理領域におけるマップ情報として記録されている。マップテーブルは、図１４（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１３７】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１３８】
マップテーブルは、コンテンツ１が領域１に記録されると共に内容が更新される。記憶部３４０の領域１が図１４（ａ）に示す状態である場合のマップテーブルを、図１４（ｂ）に示す。図１４（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１３９】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１４０】
なお、図１４（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１４１】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図１４（ｃ）を参照して説明する。なお、タイトル管理領域は、記憶部３４０において仮想的に分割されている領域の数だけ記憶部２８０に設けられている。
【０１４２】
タイトル管理テーブルには、図１４（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１４３】
図１４（ｂ）に示したマップテーブルを設定したときのタイトル管理テーブルの一例を、図１４（ｃ）に示している。このとき、タイトル１における残りダビング回数は、コンテンツ１をディスク１へ記録したため、残り１０回から１回減算されて「９」回となっている。
【０１４４】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図１５（ａ）および（ｂ）を参照しつつ以下に説明する。図１５（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１４５】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３３０にディスク１が装填されていないため、バックエンド制御部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１４６】
コンテンツ２の録画が終了すると、図１５（ｂ）に示すように、バックエンド制御部２４０は記憶部２８０における予約情報管理領域からコンテンツ２の予約録画を示す予約情報を消去する。
【０１４７】
次に、コンテンツ２を記憶部３４０の領域１に記録した際の記憶部３４０および記憶部２８０の状態について図１６（ａ）〜（ｃ）を参照しつつ以下に説明する。図１６（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１４８】
図１６（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１４９】
コンテンツ２が領域１に記録されると共に、記憶部３４０のエントリ１におけるマップ情報に記録されているマップテーブルも更新される。記憶部３４０の領域１が図１６（ａ）に示す状態のマップテーブルを、図１６（ｂ）に示す。図１６（ｂ）に示すように、図１４（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１５０】
また、図１６（ｃ）には、図１６（ｂ）に示したマップテーブルが設定されたときのタイトル管理テーブルの一例を示している。図１６（ｃ）に示すように、タイトル管理テーブルでは、図１４（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１５１】
（コンテンツの同期処理）
次に、記憶部３４０に記録されたコンテンツであってマイディスクに対して記録されていないコンテンツを、マイディスクに対して記録する同期処理について、図１７〜図１９（ａ）〜（ｃ）を参照して以下に説明する。
【０１５２】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図１７）。すなわち、コンテンツ２は同期状態となる。
【０１５３】
ドライブ制御部３２０は、ディスク１に対するコンテンツ２の書き出しが完了すると、バックエンド部２００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１５４】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図１７）。なお、図１７は、コンテンツの同期処理後の記憶部３４０およびディスク１の状態を示す図である。
【０１５５】
次に、記憶部３４０の領域１に記録されているコンテンツ２をディスク１に書き出した際の記憶部３４０および記憶部２８０の状態について図１８（ａ）〜（ｃ）を参照しつつ以下に説明する。図１８（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１５６】
図１８（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１５７】
コンテンツ２の同期処理が完了すると、図１８（ｂ）に示すように、エントリ１のマップ情報に記録されているマップテーブルの同期フラグが、コンテンツがマイディスクに記録されていることを表す「１」となる。また、図１８（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１５８】
次に、ディスク１において「０ｘ２５０」を先頭アドレスとするコンテンツ（コンテンツ３）が既に記録されている場合のコンテンツ２の同期処理について、図１９（ａ）〜（ｄ）を参照して以下に説明する。
【０１５９】
図１９（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１６０】
図１９（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１６１】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１６２】
このとき、領域１のマップテーブルについても、図１９（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１６３】
同様に、図１９（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１６４】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１６５】
図２０は、領域１に記録されていたコンテンツ１およびコンテンツ２を削除した後に、新たにコンテンツ４を録画したときの記憶部３４０およびディスク１の状態を示す図である。なお、図２０は、マイディスクが装填されている状態での録画のため、コンテンツ４はディスク１に対しても記録されている。
【０１６６】
図２０に示す状態、すなわちコンテンツ１およびコンテンツ２を領域１から削除した後に領域１にコンテンツ４を記録したときの記憶部３４０および記憶部２８０の状態について図２１（ａ）〜（ｃ）を参照しつつ以下に説明する。図２１（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１６７】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図２１（ａ）に示すように、コンテンツ１およびコンテンツ２は、仮想ディスクイメージ上においては消去されることなく残されている。すなわち、図２１（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１６８】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１６９】
また、図２１（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１７０】
＜コンテンツ再生動作＞
次に、レコーダ装置１００におけるコンテンツの再生動作について、図２２〜図２５を参照しつつ以下に説明する。
【０１７１】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１７２】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１７３】
（マイディスクが装填されている場合の再生処理）
マイディスクが装填されている場合の再生処理について、図２２および図２３を参照して以下に説明する。図２２は、コンテンツ１〜３を記録したディスク１が装填されている場合の記憶部３４０および記憶部２８０の状態を示す図である。図２３は、マイディスクが装填されている場合において、再生時にコンテンツが読み出される媒体を模式的に示した図である。
【０１７４】
図２２に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図２２では、タイトル管理テーブルの詳細については省略して示している。
【０１７５】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１７６】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１７７】
領域１からコンテンツ１を読み出したドライブ制御部３２０は、読み出したコンテンツ１を、インターフェース部３１０を介してバックエンド部２００に出力する。
【０１７８】
このように、読み出しの対象となるコンテンツがマイディスクにも記憶部３４０にも記録されている場合、図２３に示すように、コンテンツは記憶部３４０から読み出される。
【０１７９】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１８０】
ディスク１からコンテンツ３が読み出されると、ドライブ制御部３２０は、読み出したコンテンツ３を、インターフェース部３１０を介してバックエンド部２００に出力する。
【０１８１】
このように、読み出しの対象となるコンテンツが記憶部３４０に記録されていない場合、図２３に示すように、コンテンツはマイディスクから読み出される。
【０１８２】
（マイディスクが装填されていない場合の再生処理）
続いて、マイディスクが装填されていない場合の再生処理について、図２４および図２５を参照して以下に説明する。図２４は、ドライブ部３００に記録媒体が装填されていない場合の記憶部３４０および記憶部２８０の状態を示す図である。図２５は、マイディスクが装填されていない場合において、再生時にコンテンツが読み出される媒体を模式的に示した図である。
【０１８３】
図２４に示すように、記憶部３４０の領域１には、コンテンツ１およびコンテンツ２が記録されている。しかし、図２２の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図２４では、図２２と同様に、タイトル管理テーブルの詳細については省略して示している。
【０１８４】
図２４に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１８５】
すなわち、図２５に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１８６】
なお、図２５に示すコンテンツ１の読み出し処理は、マイディスクが装填されている場合におけるコンテンツ１の読み出し処理と同様であるため、ここでは説明を省略する。
【０１８７】
＜コンテンツ編集動作＞
次に、レコーダ装置１００におけるコンテンツの編集動作について、図２６および図２７（ａ）および（ｂ）を参照しつつ以下に説明する。
【０１８８】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１８９】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１９０】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１９１】
（マイディスクが装填されている場合の編集処理）
マイディスクが装填されている場合の編集処理について、図２２および図２６を参照して以下に説明する。図２６は、マイディスクが装填されている場合において、コンテンツが編集される媒体を模式的に示した図である。
【０１９２】
図２２に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図２２では、タイトル管理テーブルの詳細については省略して示している。
【０１９３】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１９４】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１９５】
このように、データを変更する対象となるコンテンツがマイディスクにも記憶部３４０にも記録されている場合、図２６に示すように、記憶部３４０に記録されているコンテンツのデータが変更されることになる。
【０１９６】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０１９７】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１９８】
（マイディスクが装填されていない場合の編集処理）
続いて、マイディスクが装填されていない場合のコンテンツの編集処理について、図２４および図２７（ａ）および（ｂ）を参照して以下に説明する。図２７（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１９９】
図２４に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０２００】
すなわち、図２７（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０２０１】
＜コンテンツコピー動作＞
次に、レコーダ装置１００におけるコンテンツのコピー動作について、図２８（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２８（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０２０２】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０２０３】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２８（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０２０４】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２８（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０２０５】
なお、図２８（ａ）に示すように、ディスク２はドライブ部３００に装填されていないため、領域２に記録されているコンテンツ２の同期状態は、未同期を表す情報である。
【０２０６】
＜マイディスク間のコンテンツの移動＞
第１の実施形態に係るレコーダ装置１０が、編集対象記録媒体として登録された記録媒体間のコンテンツの移動を行なうものであったのに対し、本実施形態に係るレコーダ装置１００は、マイディスクとして登録された記録媒体間のコンテンツの移動を行なうものである。本実施形態に係るレコーダ装置１００におけるマイディスク間のコンテンツの移動は、バックエンド部２００が備えているバックエンド制御部２４０を、第１の実施形態におけるタイトルリスト取得手段１２ａ、タイトルリスト編集手段１２ｂ、および、コンテンツ移動手段１２ｃとして機能させることにより実現される。
【０２０７】
第１の実施形態において、制御部２１がタイトルリストを参照してタイトルリスト編集処理およびコンテンツ移動処理を行なうのと同様に、本実施形態において、バックエンド制御部２４がタイトル管理情報を参照してタイトルリスト編集処理およびコンテンツ移動処理を行う。タイトル管理情報に、移動先記録媒体指定情報や移動元記録媒体指定情報を付加する方法については、第１の実施形態において説明した方法と同様であるので、ここではその説明を繰り返さない。
【０２０８】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０２０９】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０２１０】
（マイディスクのファイルシステムの利用）
レコーダ装置１００では、マイディスクとして登録されている記録媒体へのデータの書き込みおよび記録媒体からのデータの読み出しには、マイディスクとして登録されている記録媒体から取得したファイルシステムを用いることが好ましい。
【０２１１】
ここで、記録媒体のファイルシステムを利用したデータ管理について、図２９（ａ）〜（ｃ）を参照しつつ以下に説明する。図２９（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０２１２】
通常、記録媒体内には、記録媒体の種類毎に規格によって定められたファイルシステムが記録されており、そのファイルシステムによって、記録媒体に記録されている各ファイルと各ファイルの記録されているアドレスが関連づけられている。なお、ファイルシステムは、記録媒体の記録領域における先頭部分に記録されていることが多い。
【０２１３】
バックエンド部２００では、データの読み出し、あるいはデータの書き込みの対象となる記録媒体のアドレスを指定するために、記録媒体から取得したファイルシステムを参照する。ファイルシステムは、記録媒体が装填された時に、メディアＩＤなどと共に取得され、バックエンド部２００の揮発性メモリに保持される。また、予期しない電源断などに対応するために、取得したファイルシステムは、記憶部２８０にも保持している（図２９（ａ））。バックエンド部２００では、記録媒体が装填されるたびに記録媒体からファイルシステムを取得し、取得したファイルシステムと自装置に記録されているファイルシステムとを比較して、ファイルの最新の状態が維持されるようにしている。
【０２１４】
すなわち、バックエンド部２００は、マイディスクとして登録されている記録媒体から読み出したファイルシステムと、既に記憶部２８０に記録されているファイルシステム（その記録媒体から直近に読み出したファイルシステム）とを比較することにより、バックエンド部２００は記録媒体に記録されていて記憶部３４０に記録されていないコンテンツの情報（例えば、そのコンテンツの記録されている記録媒体のアドレス、そのコンテンツを示すタイトル情報など）を取得する。
【０２１５】
なお、図２９（ａ）には、ディスク１に関するファイルシステムについてのみ示しているが、記憶部２８０のファイルシステム管理領域には、マイディスクとして登録されているディスクの数だけファイルシステムが記録されている。
【０２１６】
このように、マイディスクとして登録している記録媒体のファイルシステムを記憶部２８０に記録することにより、バックエンド部２００は、記録媒体が装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０２１７】
さらに、図２９（ｂ）および（ｃ）に示すように、コンテンツ１が複数の断片化されたファイルに分割されて記録媒体に記録されている場合であっても、バックエンド制御部２４０は、記憶部２８０に記録されているファイルシステムにおけるコンテンツ１の配置情報を参照することにより、コンテンツ１に対して的確にアクセスすることができる。
【０２１８】
このように、記憶部３４０に記録されているマップ情報は、本実施形態ではコンテンツごとの配置情報として示しているが、より正確には、図２９（ｃ）に示すように、領域（ファイル）ごとの配置情報を示すものである。
【０２１９】
また、マイディスクの登録解除の際には、ファイルシステム管理領域に記録されているファイルシステムについても、タイトル管理情報と併せて削除される。
【０２２０】
＜表示装置における表示例＞
最後に、レコーダ装置１００に接続された表示装置におけるコンテンツとタイトルリストに記録されている情報との表示例について、図３０を参照しつつ以下に説明する。図３０は、表示装置５００上でのコンテンツおよびタイトルリストに記録されている情報の表示を概略的に示す図である。
【０２２１】
操作入力部を介してユーザーがタイトルリストの表示をレコーダ装置１００に対して指示すると、表示装置５００では、タイトルリストおよびコンテンツが図３０に示すように表示される。
【０２２２】
すなわち、図３０に示すように、表示装置５００における表示画面は、これまで視聴していたコンテンツを引き続き表示するコンテンツ表示部５１０と、タイトルリストを表示するタイトルリスト表示部５２０との２つの画面に分割されることになる。
【０２２３】
タイトルリスト表示部５２０には、図３０に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０２２４】
図３０では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０２２５】
（プログラムおよび記録媒体）
第１の実施形態においてレコーダ装置１０に含まれている制御部２１および第２の実施形態においてレコーダ装置１００に含まれているバックエンド制御部２４０は、ハードウェアロジックによって構成してもよいし、次のように、ＣＰＵ（Central Processing Unit）を用いてソフトウェアによって実現してもよい。
【０２２６】
すなわち、上記各制御部は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０２２７】
そして、本発明の目的は、上記各制御部のプログラムメモリに固定的に担持されている場合に限らず、上記プログラムのプログラムコード（実行形式プログラム、中間コードプログラム、または、ソースプログラム）を記録した記録媒体をレコーダ装置１０およびレコーダ装置１００に供給し、レコーダ装置１０およびレコーダ装置１００が上記記録媒体に記録されている上記プログラムコードを読み出して実行することによっても、達成可能である。
【０２２８】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の記録媒体を含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２２９】
また、上記各制御部（またはレコーダ装置１０およびレコーダ装置１００）を通信ネットワークと接続可能に構成しても、本発明の目的を達成できる。この場合、上記のプログラムコードを、通信ネットワークを介して上記各制御部に供給する。この通信ネットワークは上記各制御部にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０２３０】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３２】
本発明は、記録媒体間でコンテンツを移動するディスク編集装置一般に広く適用することができる。例えば、ＢＤレコーダやＤＶＤレコーダなどのレコーダ装置に取り分け好適に利用することができる。
【符号の説明】
【０２３３】
１０        レコーダ装置（記録媒体編集装置）
１１        チューナー
１２        エンコーダ
１３        ワークメモリ（コンテンツ記録用メモリ）
１４        タイトル記憶用メモリ（タイトル記憶用メモリ）
１５        デコーダ
１６        出力インターフェース
１７        リモコン受信部
１８        操作部
１９        ドライブ装置
２０        バス
２１        制御部
２１ａ      タイトルリスト取得部（タイトルリスト取得手段）
２１ｂ      タイトルリスト編集部（タイトルリスト編集手段）
２１ｃ      コンテンツ移動部（コンテンツ移動手段）
１００      レコーダ装置（記録媒体編集装置）
２００      バックエンド部
２１０      チューナー部
２２０      エンコーダ部
２３０      ストリーム処理部
２４０      バックエンド制御部
（タイトルリスト取得手段、タイトルリスト編集手段、コンテンツ移動手段）
２５０      バッファ部
２６０      デコーダ部
２７０      画像処理部
２８０      記憶部（タイトル記憶用メモリ、コンテンツ記録用メモリ）
２９０      インターフェース部
３００      ドライブ部
３１０      インターフェース部
３２０      ドライブ制御部
３３０      ディスクドライブ部
３４０      記憶部
５００      表示装置
【図１】
2010238340.tif 000003
【図２】
2010238340.tif 000004
【図３】
2010238340.tif 000005
【図４】
2010238340.tif 000006
【図５】
2010238340.tif 000007
【図６】
2010238340.tif 000008
【図７】
2010238340.tif 000009
【図８】
2010238340.tif 000010
【図９】
2010238340.tif 000011
【図１０】
2010238340.tif 000012
【図１１】
2010238340.tif 000013
【図１２】
2010238340.tif 000014
【図１３】
2010238340.tif 000015
【図１４】
2010238340.tif 000016
【図１５】
2010238340.tif 000017
【図１６】
2010238340.tif 000018
【図１７】
2010238340.tif 000019
【図１８】
2010238340.tif 000020
【図１９】
2010238340.tif 000021
【図２０】
2010238340.tif 000022
【図２１】
2010238340.tif 000023
【図２２】
2010238340.tif 000024
【図２３】
2010238340.tif 000025
【図２４】
2010238340.tif 000026
【図２５】
2010238340.tif 000027
【図２６】
2010238340.tif 000028
【図２７】
2010238340.tif 000029
【図２８】
2010238340.tif 000030
【図２９】
2010238340.tif 000031
【図３０】
2010238340.tif 000032